(57)【特許請求の範囲】
【請求項１】
水路や擁壁等の壁面を施工する組立柵工であって、
下側部分を地中に埋設する状態で壁面に沿って立設される複数本の杭体と、隣り合う杭体間において上下複数段に横架されて背面土を支える平状土留板とポット付き土留板とを備え、
前記ポット付き土留板の正面に上面が開放した植生用ポット部を形成し、この植生用ポット部内に植生土を充填したことを特徴とした組立柵工。
【請求項２】
水路や擁壁等の壁面を施工する組立柵工であって、
下側部分を地中に埋設する状態で壁面に沿って立設される複数本の杭体と、隣り合う杭体間において上下複数段に横架されて背面土を支えるポット付き土留板とを備え、
前記ポット付き土留板の正面に上面が開放した植生用ポット部を形成し、この植生用ポット部内に植生土を充填したことを特徴とした組立柵工。
【発明の詳細な説明】
【技術分野】
【０００１】
本発明は、杭体と土留板を用いて水路や擁壁等の壁面を施工する組立柵工技術に関するものである。
【背景技術】
【０００２】
従来、例えば、水路や擁壁等の壁面を施工する組立柵工は、複数本の杭体を、一定間隔で地中に埋設して立設し、この各杭体の中程背面部に突設された突出部に土留板の下端部を支持する状態で、土留板を隣り合う杭体間において杭体の上側部分の間に上下複数段に横架することにより背面土を支えるように施工される。
この場合、土留板は上下方向に積み重ねる状態に架設されることから、施工後の壁面は単なる平面的な壁に構築されるに過ぎないものになっている。
【発明の開示】
【発明が解決しようとする課題】
【０００３】
近年、コンクリートによる土木構造物の景観向上や環境緑化が重要視されるようになっている。
本発明では、この景観向上や環境緑化の観点に立ち、水路や擁壁等の壁面を施工する組立柵工についても、植栽による景観向上や環境緑化を図ることができるようにした組立柵工技術を提供することを課題としている。
【課題を解決するための手段】
【０００４】
上記の課題を解決するために、本発明の組立柵工（請求項１）は、
水路や擁壁等の壁面を施工する組立柵工であって、
下側部分を地中に埋設する状態で壁面に沿って立設される複数本の杭体と、隣り合う杭体間において上下複数段に横架されて背面土を支える平状土留板とポット付き土留板を備え、
前記ポット付き土留板の正面に上面が開放した植生用ポット部を形成し、この植生用ポット部内に植生土を充填した構成にしている。
又、本発明の組立柵工（請求項２）は、
水路や擁壁等の壁面を施工する組立柵工であって、
下側部分を地中に埋設する状態で壁面に沿って立設される複数本の杭体と、隣り合う杭体間において上下複数段に横架されて背面土を支えるポット付き土留板を備え、
前記ポット付き土留板の正面に上面が開放した植生用ポット部を形成し、この植生用ポット部内に植生土を充填した構成にしている。
【０００５】
この組立柵工では、ポット付き土留板の正面に上面が開放した植生用ポット部を形成しているため、この植生用ポット部をいわゆるプランターとして使用することができる。
従って、この植生用ポット部に植生土を充填して、ここに植物を植生させれば、壁面に上下複数段のグリーンベルトができあがり、単なるコンクリート壁と異なり、景観向上や環境緑化を図ることができる。
【発明の効果】
【０００６】
本発明の組立柵工にあっては、景観向上や環境緑化の観点に立ち、水路や擁壁等の壁面を施工する組立柵工について、植栽による景観向上や環境緑化を図ることができる。
【発明を実施するための最良の形態】
【０００７】
以下、本発明の実施の形態を図面により詳述する。
図１は本発明の実施の形態である組立柵工の断面図、図２はこの組立柵工の平面図、図３はこの組立柵工の正面図である。
【０００８】
この組立柵工は、擁壁の壁面を施工するものであって、杭体１と、平状土留板２及びポット付き土留板３を備えている。
【０００９】
前記杭体１は、鉄筋コンクリートにより角柱状に形成され、中程背面部に突出部１０が形成された既成品が用いられている。
そして、壁面に沿って複数本の杭体１を一定間隔で立設させるもので、この場合、突出部１０が背面になるように各杭体１の下側部分を地中Ｇに打ち込んで埋設する。
【００１０】
前記平状土留板２は、鉄筋コンクリートにより平板状に形成された既成品が用いられている。
又、ポット付き土留板３は、背面板部３０の正面に上面が開放した植生用ポット部３１を形成したもので、この植生用ポット部３１は、内側に傾斜した左右側板３２，３２と、上縁側が壁面の前面側に傾斜した前面板３３とで内部に凹状空間３４を囲むように形成されている。
また、前記背面板部３０には、杭体１の背面幅の半分の突出幅で架設部３５，３５が両端部に形成され、又、背面板部３０を貫通して前記凹状空間３４内に連通する導水穴３６が形成されている。
そして、この平状土留板２の両端部及びポット付き土留板３の架設部３５，３５を隣り合う杭体１，１間に横架させることにより、この平状土留板２及びポット付き土留板３によって背面土Ｂを支えた組立柵工が構成される。
尚、この実施の形態では、杭体の突出部１０の上に平状土留板２の両端を支持させることで、擁壁の最下段に平状土留板２を横架させ、この平状土留板２の上に支持されるようにポット付き土留板３を２段に横架させ、このポット付き土留板３の上に支持されるように平状土留板２を横架させ、かつ擁壁の最上段において平状土留板２及び各杭体１の上端に笠木ブロック９９を上から被せた擁壁構造に施工されている。
そして、前記各ポット付き土留板３の植生用ポット部３１内に植生土Ｑを充填して、ここに植物を植生させるようになっている。
【００１１】
このように構成した組立柵工では、ポット付き土留板３の正面に上面が開放した植生用ポット部３１が形成されているため、この植生用ポット部３１をいわゆるプランターとして使用することができる。
従って、この植生用ポット部３１に植生土Ｑを充填して、ここに植物を植生させれば、壁面に上下複数段のグリーンベルトができあがり、単なるコンクリート壁と異なり、景観向上や環境緑化を図ることができる。
又、導水穴３６によって植生用ポット部３１に充填した植生土Ｑと背面土Ｂが連通するため、背面土Ｂから植生土Ｑへの雨水の浸透が得られ、地山からの水分補給が得られる。
【００１２】
以上、本発明の実施の形態を図面により説明したが、具体的な構成はこれに限定されることはない。
例えば、杭体を用いた組立柵工については、これを用いて水路の壁面を構築するほか、擁壁の壁面を構築することができる。
又、杭体の立設間隔や土留板の段数等は、現場条件等に合わせて適宜に設計することができる。
又、土留板の材質についても、鉄筋コンクリートのほか、プラスチック、金属、木材、ポーラスコンクリート等を使用できるし、その表面にデザインや塗装を施すことは任意である。
又、実施の形態において、土留板として平状土留板２とポット付き土留板３を用いたが、平状土留板２を用いずに、ポット付き土留板３のみを用いて施工することもできる。
【図面の簡単な説明】
【００１３】
【図１】本発明の実施の形態である組立柵工の断面図である。
【図２】その組立柵工の平面図である。
【図３】その組立柵工の正面図である。
【符号の説明】
【００１４】
１  杭体
１０  突出部
Ｂ  背面土
Ｇ  地中
Ｑ  植生土
２  平状土留板
３  ポット付き土留板
３０  背面板部
３１  植生用ポット部
３２  側板
３３  前面板
３４  凹状空間
３５  架設部
３６  導水穴
９９  笠木ブロック
【図１】
0003774459.tif 000002
【図２】
0003774459.tif 000003
【図３】
0003774459.tif 000004